(57)【特許請求の範囲】
【請求項１】
微細塵埃が組成されるチャンバ（１０）と、
前記チャンバ（１０）内にそれぞれ異なる角度で配置された多数の駆動ファン（２１、２２、２３、２４）を有し、供給された塵埃を、実際の大気環境と同一・類似に分布されるように、前記チャンバ（１０）内で流動させる風向発生装置（２０）と、
前記チャンバ（１０）と一体又は別に設けられ、前記チャンバ（１０）内に前記微細塵埃を供給する塵埃供給部（３０）とを含み、
前記風向発生装置（２０）の多数の駆動ファン（２１、２２、２３、２４）は、
前記チャンバ（１０）の底面の各角に配置されるコーナー駆動ファン（２１）と、
前記チャンバ（１０）の対向する側面の底辺で内側に配置される側下部駆動ファン（２２）と、
前記チャンバ（１０）の底面の中央に配置される中央駆動ファン（２３）と、
前記チャンバ（１０）の対向する側面の中央や上部に配置される側上部駆動ファン（２４）とを含み、
前記コーナー駆動ファン（２１）は、
前記チャンバ（１０）内の四角の底面にそれぞれ、対角線方向に互いに対向して配置され、ファンの正面方向が中央基準点をずらして設けられ、
前記側下部駆動ファン（２２）は、前記チャンバ（１０）の対向する一対の側面と隣接する同一の底面の両側に、ファンの正面が互いに逆方向に向けるようにそれぞれ配置され、
前記中央駆動ファン（２３）は、対流現象を生じて、下部の塵埃を吸入して、上部に発散させることを特徴とする微細塵埃を含有した人工大気環境組成装置。
【請求項２】
更に、前記チャンバ（１０）の内部から外部への空気フローは防止し、外部から内部への空気フローは許容する、逆流防止フィルタを備えるフィルタ部（４０）を、含むことを特徴とする請求項１に記載の微細塵埃を含有した人工大気環境組成装置。
【請求項３】
前記チャンバ（１０）は、一側面に、被験者の腕を挿入するための挿入口（１２）が形成され、上面又は側面上部に塵埃が投入される投入口（１４）が形成され、側面下部や底面に、排出口（１６）が形成されることを特徴とする請求項１に記載の微細塵埃を含有した人工大気環境組成装置。
【請求項４】
前記チャンバ（１０）の前記挿入口（１２）には、更に、微細塵埃が前記チャンバ（１０）の外部に流出されることを防止する密封部材やうでぬき部材が設けられ、前記挿入口（１２）が形成されたチャンバの内側には、被験者の腕を据え置きする支持台（１８）が設けられることを特徴とする請求項３に記載の微細塵埃を含有した人工大気環境組成装置。
【請求項５】
前記チャンバ（１０）は、透明又は半透明なアクリル板の材質で形成されることを特徴とする請求項１に記載の微細塵埃を含有した人工大気環境組成装置。
【請求項６】
前記コーナー駆動ファン（２１）は、それぞれ、ファンの正面方向が前記チャンバ（１０）の中央を基準に、１〜１５゜角度（θ１）で回転された方向に位置する第１のコーナー駆動ファン（２１ａ）と、第２のコーナー駆動ファン（２１ｂ）と、第３のコーナー駆動ファン（２１ｃ）と、第４のコーナー駆動ファン（２１ｄ）とを含むことを特徴とする請求項１に記載の微細塵埃を含有した人工大気環境組成装置。
【請求項７】
前記側下部駆動ファン（２２）は、前記チャンバ（１０）の一対の側面と中央基準点を継ぐ垂直線からなる連結線を基準に、１〜７゜角度（θ２）で回転された方向に位置する第１の側下部駆動ファン（２２ａ）と、第２の側下部駆動ファン（２２ｂ）とを含むことを特徴とする請求項1に記載の微細塵埃を含有した人工大気環境組成装置。
【請求項８】
前記中央駆動ファン（２３）は、前記チャンバ（１０）の底面の中央に、ファンの正面が上向きになるように配置され、前記底面から離隔して設けられることを特徴とする請求項1に記載の微細塵埃を含有した人工大気環境組成装置。
【請求項９】
前記中央駆動ファン（２３）は、互いに所定距離離隔して配置される第１の中央駆動ファン（２３ａ）と、第２の中央駆動ファン（２３ｂ）とを含むことを特徴とする請求項８に記載の微細塵埃を含有した人工大気環境組成装置。
【請求項１０】
前記側上部駆動ファン（２４）は、前記チャンバ（１０）の対向する一対の側面の中央や上部に、ファンの正面が互いに逆方向に向けるようにそれぞれ配置され、前記チャンバ（１０）の一対の側面と中央基準点を継ぐ垂直線からなる連結線を基準に、１〜５０゜角度（θ３）で回転された方向に位置する第１の側上部駆動ファン（２４ａ）と、第２の側上部駆動ファン（２４ｂ）とを含むことを特徴とする請求項1に記載の微細塵埃を含有した人工大気環境組成装置。
【請求項１１】
前記塵埃供給部（３０）は、前記微細塵埃の材料として、カーボンブラックを含むことを特徴とする請求項１に記載の微細塵埃を含有した人工大気環境組成装置。
【請求項１２】
化粧料が塗布された塗布部位と、化粧料が塗布していない無塗布部位とに区画された対象を、微細塵埃の露出前と露出後に分けて、イメージで撮影する撮影装置（１００）と、
前記対象を微細塵埃に露出させるように構成される人工大気環境組成装置（１）と、
微細塵埃の露出前と露出後に撮影された前記対象のイメージを比較分析するイメージ分析装置（２００）とを含み、
前記人工大気環境組成装置（１）は、
微細塵埃が組成されるチャンバ（１０）と、
前記チャンバ（１０）内にそれぞれ異なる角度で配置された多数の駆動ファン（２１、２２、２３、２４）を有し、供給された塵埃を、実際の大気環境と同一・類似に分布されるように、前記チャンバ（１０）内で流動させる風向発生装置（２０）と、
前記チャンバ（１０）と一体又は別に設けられ、前記チャンバ（１０）内に前記微細塵埃を供給する塵埃供給部（３０）とを含み、
前記風向発生装置（２０）の多数の駆動ファン（２１、２２、２３、２４）は、
前記チャンバ（１０）の底面の各角に配置されるコーナー駆動ファン（２１）と、
前記チャンバ（１０）の対向する側面の底辺で内側に配置される側下部駆動ファン（２２）と、
前記チャンバ（１０）の底面の中央に配置される中央駆動ファン（２３）と、
前記チャンバ（１０）の対向する側面の中央や上部に配置される側上部駆動ファン（２４）とを含み、
前記コーナー駆動ファン（２１）は、
前記チャンバ（１０）内の四角の底面にそれぞれ、対角線方向に互いに対向して配置され、ファンの正面方向が中央基準点をずらして設けられ、
前記側下部駆動ファン（２２）は、前記チャンバ（１０）の対向する一対の側面と隣接する同一の底面の両側に、ファンの正面が互いに逆方向に向けるようにそれぞれ配置され、
前記中央駆動ファン（２３）は、対流現象を生じて、下部の塵埃を吸入して、上部に発散させることを特徴とする微細塵埃を含有した人工大気環境組成装置を用いた化粧料の微細塵埃遮断能の分析システム。
【請求項１３】
前記人工大気環境組成装置（１）は、前記チャンバ内に設けられたそれぞれの駆動ファンを２０〜４０秒稼働させ、風速２．５〜３ｍ／ｓに維持される環境で、カーボンブラックが投入され、前記カーボンブラックによる前記微細塵埃の濃度は、２００〜３，０００ｍｇ／ｍ３であることを特徴とする請求項１２に記載の微細塵埃を含有した前記人工大気環境組成装置を用いた化粧料の微細塵埃遮断能の分析システム。
【請求項１４】
前記分析装置（２００）は、前記撮影装置（１００）に連動し、前記微細塵埃の露出前と露出後に撮影されたイメージを、イメージ受信部でそれぞれ受信し、受信されたイメージを、変換部で編集可能なイメージファイルに変換し、変換されたイメージファイルから前記微細塵埃の量を測定及び分析することを特徴とする請求項１２に記載の微細塵埃を含有した前記人工大気環境組成装置を用いた化粧料の微細塵埃遮断能の分析システム。
【請求項１５】
前記分析装置（２００）は、前記微細塵埃の量を測定及び分析するために係数統計を適用させ、強度範囲を設定して測定結果を導出し、前記微細塵埃の露出前と露出後の同一の部分を重ね合わせて、同一値の強度範囲で分析することを特徴とする請求項１４に記載の微細塵埃を含有した前記人工大気環境組成装置を用いた化粧料の微細塵埃遮断能の分析システム。
【発明の詳細な説明】
【技術分野】
【０００１】
本発明は、微細塵埃を含有した人工大気環境組成装置を用いて、化粧料の微細塵埃の遮断能を分析するためのシステムに関し、特に、外部の大気環境の微細塵埃汚染度に類似した微細塵埃を含有した人工大気環境を組成する人工大気環境組成装置、及びこれを用いて、被験者に塗布された化粧料がある程度微細塵埃を遮断するかを、化粧料の塗布部位に残留する微細塵埃量で測定して分析する、微細塵埃を含有した人工大気環境組成装置を用いた化粧料の微細塵埃遮断能の分析システムに関する。
【背景技術】
【０００２】
微細塵埃とは、目に見えない極めて小さい物質であって、大気中に長期間浮遊するか、飛散する直径１０μｍ（１００万分の１ｍ）以下の物質をいう。直径が１０μｍ以下の微細塵埃は、更に、直径が２．５μｍ（髪毛直径の３０分の１）以下の超微細塵埃に区分される。微細塵埃は、ほとんど鼻で濾過されるが、超微細塵埃は、鼻や気道で濾過されず、気管支を通して肺に吸着するか、皮膚の毛穴に深く浸透することがある。
【０００３】
このような微細塵埃は、産業で利用される化石燃料による中国の微細塵埃（３０〜５０％）と、自動車・工場・家庭などで発生する汚染物質（５０〜７０％）とが混合したもので、アルミニウム、銅、カドミウム、鉛のような重金属物質を含有しているため、肺疾患などを誘発するだけでなく、超微細塵埃に晒されると、免疫力が急激に低下して、風邪、喘息、気管支炎などの呼吸器疾患はもちろん、心血管疾患、皮膚疾患、眼球疾患などの各種の疾病にかかりやすい。  
【０００４】
特に、超微細塵埃又は高濃度微細塵埃は、皮膚に付着しやすく、毛穴内まで浸透してトラブルを誘発するか、有害物質などが皮膚にひどい刺激を与える。そこで、快適な生活環境で元気な生活をするために、大気中に浮遊する汚染物質などの微細塵埃から、皮膚を保護するための方案が必要である。
【０００５】
これに関して、微細塵埃遮断効能を有する様々な化粧料が開発研究されているが、該当化粧料が実際の大気環境下である程度の微細塵埃遮断効能を有するか否かを、簡便に測定、分析する装置は、未だない実情である。
【先行技術文献】
【特許文献】
【０００６】
【特許文献１】韓国登録特許第１０−１２０３２２２号公報
【特許文献２】韓国登録実用新案第２０−００９６４４８号公報
【発明の概要】
【発明が解決しようとする課題】
【０００７】
本発明は、前記のような問題点を解決するためになされたものであって、本発明の目的は、被験者に塗布された化粧料部位に残留する微細塵埃の量で、化粧料がある程度微細塵埃を遮断するかを測定し、分析するために、外部大気環境の微細塵埃の汚染度に類似した微細塵埃を含有した人工大気環境を組成する人工大気環境組成装置を提供し、これを用いて、化粧料の微細塵埃の遮断能を分析するシステムを提供することである。
【課題を解決するための手段】
【０００８】
上述した問題を解決するために、本発明の１実施例による微細塵埃を含有した人工大気環境組成装置は、微細塵埃が組成されるチャンバ（１０）と、
前記チャンバ（１０）内にそれぞれ異なる角度で配置された多数の駆動ファン（２１、２２、２３、２４）を有し、供給された塵埃を、実際の大気環境と同一・類似に分布されるように、前記チャンバ（１０）内で流動させる風向発生装置（２０）と、
前記チャンバ（１０）と一体又は別に設けられ、前記チャンバ（１０）内に微細塵埃を供給する塵埃供給部（３０）とを含み、
前記風向発生装置（２０）の多数の駆動ファン（２１、２２、２３、２４）は、
前記チャンバ（１０）の底面の各角に配置されるコーナー駆動ファン（２１）と、
前記チャンバ（１０）の対向する側面の底辺で内側に配置される側下部駆動ファン（２２）と、
前記チャンバ（１０）の底面の中央に配置される中央駆動ファン（２３）と、
前記チャンバ（１０）の対向する側面の中央や上部に配置される側上部駆動ファン（２４）とを含み、
前記コーナー駆動ファン（２１）は、
前記チャンバ（１０）内の四角の底面にそれぞれ、対角線方向に互いに対向して配置され、ファンの正面方向が中央基準点をずらして設けられ、
前記側下部駆動ファン（２２）は、前記チャンバ（１０）の対向する一対の側面と隣接する同一の底面の両側に、ファンの正面が互いに逆方向に向けるようにそれぞれ配置され、
前記中央駆動ファン（２３）は、対流現象を生じて、下部の塵埃を吸入して、上部に発散させることを特徴とする。
【０００９】
また、本発明による微細塵埃を含有した人工大気環境組成装置であって、更に、前記チャンバ（１０）の内部から外部への空気フローは防止し、外部から内部への空気フローは許容する、逆流防止フィルタを備えるフィルタ部（４０）を、含むことを特徴とする。
【００１０】
また、本発明による微細塵埃を含有した人工大気環境組成装置であって、前記チャンバ（１０）は、一側面に、被験者の腕を挿入するための挿入口（１２）が形成され、上面又は側面上部に塵埃が投入される投入口（１４）が形成され、側面下部や底面に、排出口（１６）が形成される。
【００１１】
また、本発明による微細塵埃を含有した人工大気環境組成装置であって、前記チャンバ（１０）の挿入口（１２）には、更に、微細塵埃が前記チャンバ（１０）の外部に流出されることを防止する密封部材やうでぬき部材が設けられ、前記挿入口（１２）が形成されたチャンバの内側には、被験者の腕を据え置きする支持台（１８）が設けられる。
【００１２】
また、本発明による微細塵埃を含有した人工大気環境組成装置であって、前記チャンバ（１０）は、透明又は半透明なアクリル板の材質で形成される。
【００１５】
また、本発明による微細塵埃を含有した人工大気環境組成装置であって、前記コーナー駆動ファン（２１）は、それぞれ、ファンの正面方向が前記チャンバ（１０）の中央を基準に、１〜１５゜角度（θ１）で回転された方向に位置する第１のコーナー駆動ファン（２１ａ）と、第２のコーナー駆動ファン（２１ｂ）と、第３のコーナー駆動ファン（２１ｃ）と、第４のコーナー駆動ファン（２１ｄ）とを含む。
【００１６】
また、本発明による微細塵埃を含有した人工大気環境組成装置であって、前記側下部駆動ファン（２２）は、前記チャンバ（１０）の一対の側面と中央基準点を継ぐ垂直線からなる連結線を基準に、１〜７゜角度（θ２）で回転された方向に位置する第１の側下部駆動ファン（２２ａ）と、第２の側下部駆動ファン（２２ｂ）とを含む。
【００１７】
また、本発明による微細塵埃を含有した人工大気環境組成装置であって、前記中央駆動ファン（２３）は、前記チャンバ（１０）の底面の中央に、ファンの正面が上向きになるように配置され、前記底面から離隔して設けられる。
【００１８】
また、本発明による微細塵埃を含有した人工大気環境組成装置であって、前記中央駆動ファン（２３）は、互いに所定距離離隔して配置される第１の中央駆動ファン（２３ａ）と、第２の中央駆動ファン（２３ｂ）とを含む。
【００２０】
また、本発明による微細塵埃を含有した人工大気環境組成装置であって、前記側上部駆動ファン（２４）は、前記チャンバ（１０）の対向する一対の側面の中央や上部に、ファンの正面が互いに逆方向に向けるようにそれぞれ配置され、前記チャンバ（１０）の一対の側面と中央基準点を継ぐ垂直線からなる連結線を基準に、１〜５０゜角度（θ３）で回転された方向に位置する第１の側上部駆動ファン（２４ａ）と、第２の側上部駆動ファン（２４ｂ）とを含む。
【００２１】
また、本発明による微細塵埃を含有した人工大気環境組成装置であって、前記塵埃供給部（３０）は、前記微細塵埃の材料として、カーボンブラックを含む。
【００２２】
また、本発明による微細塵埃を含有した人工大気環境組成装置を用いた化粧料の微細塵埃遮断能の分析システムは、
化粧料が塗布された塗布部位と、化粧料が塗布していない無塗布部位とに区画された対象を、微細塵埃の露出前と露出後に分けて、イメージで撮影する撮影装置（１００）と、
前記対象を微細塵埃に露出させるように構成される人工大気環境組成装置（１）と、
微細塵埃の露出前と露出後に撮影された前記対象のイメージを比較分析するイメージ分析装置（２００）とを含み、
前記人工大気環境組成装置（１）は、
微細塵埃が組成されるチャンバ（１０）と、
前記チャンバ（１０）内にそれぞれ異なる角度で配置された多数の駆動ファン（２１、２２、２３、２４）を有し、供給された塵埃を、実際の大気環境と同一・類似に分布されるように、前記チャンバ（１０）内で流動させる風向発生装置（２０）と、
前記チャンバ（１０）と一体又は別に設けられ、前記チャンバ（１０）内に前記微細塵埃を供給する塵埃供給部（３０）とを含み、
前記風向発生装置（２０）の多数の駆動ファン（２１、２２、２３、２４）は、
前記チャンバ（１０）の底面の各角に配置されるコーナー駆動ファン（２１）と、
前記チャンバ（１０）の対向する側面の底辺で内側に配置される側下部駆動ファン（２２）と、
前記チャンバ（１０）の底面の中央に配置される中央駆動ファン（２３）と、
前記チャンバ（１０）の対向する側面の中央や上部に配置される側上部駆動ファン（２４）とを含み、
前記コーナー駆動ファン（２１）は、
前記チャンバ（１０）内の四角の底面にそれぞれ、対角線方向に互いに対向して配置され、ファンの正面方向が中央基準点をずらして設けられ、
前記側下部駆動ファン（２２）は、前記チャンバ（１０）の対向する一対の側面と隣接する同一の底面の両側に、ファンの正面が互いに逆方向に向けるようにそれぞれ配置され、
前記中央駆動ファン（２３）は、対流現象を生じて、下部の塵埃を吸入して、上部に発散させることを特徴とする。
【００２３】
また、本発明による微細塵埃を含有した人工大気環境組成装置を用いた化粧料の微細塵埃遮断能の分析システムであって、前記人工大気環境組成装置（１）は、前記チャンバ内に設けられたそれぞれの駆動ファンを２０〜４０秒稼働させ、風速２．５〜３ｍ／ｓに維持される環境で、カーボンブラックが投入され、前記カーボンブラックによる微細塵埃の濃度は、２００〜３，０００ｍｇ／ｍ３である。
【００２４】
また、本発明による微細塵埃を含有した人工大気環境組成装置を用いた化粧料の微細塵埃遮断能の分析システムであって、前記分析装置（２００）は、前記撮影装置（１００）に連動し、微細塵埃の露出前と露出後に撮影されたイメージを、イメージ受信部でそれぞれ受信し、受信されたイメージを、変換部で編集可能なイメージファイルに変換し、変換されたイメージファイルから微細塵埃の量を測定及び分析する。
【００２５】
また、本発明による微細塵埃を含有した人工大気環境組成装置を用いた化粧料の微細塵埃遮断能の分析システムであって、前記分析装置（２００）は、前記微細塵埃の量を測定及び分析するために係数統計を適用させ、強度範囲を設定して測定結果を導出し、微細塵埃の露出前と露出後の同一の部分を重ね合わせて、同一値の強度範囲で分析する。
【発明の効果】
【００２６】
本発明の微細塵埃を含有した人工大気環境組成装置を用いて、被験者に塗布された化粧料がある程度微細塵埃を遮断するかを、簡便且つ効率よく測定し、分析することができる。
【図面の簡単な説明】
【００２７】
【図１】図１は、本発明の好適な実施形態による微細塵埃を含有した人工大気環境組成装置の概略構成図である。
【図２】図２は、図１の平面図である。
【図３】図３は、図１のチャンバ内に設けられた風向発生装置による微細塵埃の移動、流れ、及び分布状態を概略的に示す図である。
【図４】図４は、本発明の好適な実施形態による微細塵埃を含有した人工大気環境組成装置を用いた化粧料の微細塵埃遮断能分析システムの概略構成図である。
【図５】図５は、化粧料が塗布した塗布部位と、化粧料が塗布していない無塗布部位の残余の微細塵埃変化量のイメージ資料である（２０個の資料より選別された５つのイメージ）。
【図６】図６は、微細塵埃の露出前後の分析結果を示す図表である。
【発明を実施するための形態】
【００２８】
以下では、添付の図面により、本発明の好適な実施形態について詳述する。
図１は、本発明の好適な実施形態による微細塵埃を含有した人工大気環境組成装置の概略構成図である。図２は、図１の平面図である。図３は、図１のチャンバ内に設けられた風向発生装置による微細塵埃の移動、流れ、及び分布状態を概略的に示す図である。図４は、本発明の好適な実施形態による微細塵埃を含有した人工大気環境を組成する人工大気環境組成装置を用いた化粧料の微細塵埃遮断能分析システムの概略構成図である。図５は、化粧料が塗布した塗布部位と、化粧料が塗布していない無塗布部位の残余の微細塵埃変化量のイメージ資料である（２０個の資料より選別された５つのイメージ）。図６は、微細塵埃の露出前後の分析結果を示す図表である。
【００２９】
図１乃至図３に示しているように、本発明の好適な実施形態による微細塵埃を含有した人工大気環境を組成する人工大気環境組成装置１は、チャンバ１０と、風向発生装置２０と、塵埃供給部３０と、フィルタ部４０とを含む。
【００３０】
図１及び図２に示すように、チャンバ１０は、微細塵埃を組成する密閉ケースであって、チャンバ１０の一側面の下部には、被験者の腕を挿入するための挿入口１２が形成され、上面又は側面の上部には、塵埃が投入される投入口１４が形成されている。また、図２に示すように、チャンバ１０の側面の下部や底面には、排出口１６を形成して、試験後のチャンバ内の微細塵埃の除去のための水掃除で生じた廃水を排出させる。また、図１及び図２に示すように、内部の微細塵埃を真空吸入するように、真空掃除機などを挿入する連結口１７を更に含む。
【００３１】
図１及び図２に示すように、挿入口１２には、試験過程で、塵埃がチャンバの外部に流出されることを防止するために、密封部材（図示せず）や、うでぬき部材などを設けて、対象とする被験者の挿入された腕を除く部分を密閉する。また、チャンバ１０の挿入口１２が形成されたチャンバ内側には、試験の間、被験者の腕を据え置きする支持台１８を設ける。  
【００３２】
チャンバ１０は、外部からの観測が可能であるように、透明なアクリル板からなるのが望ましい。これは、試験過程及び以降の微細塵埃除去工程の状態を容易に確認するためのことであり、状況によって、半透明性材質や不透明な材質も使用可能である。
【００３３】
図１に示すように、風向発生装置２０は、投入口１４を介して投入された塵埃を、チャンバ１０内で流動させて、塵埃をチャンバ１０内の全空間に実際の大気環境と同一・類似に分布させ、多数の駆動ファン２１、２２、２３、２４、すなわち、底面のそれぞれの角に配置されるコーナー駆動ファン２１と、対向する一対の側面の底辺で内側に配置される側下部駆動ファン２２と、底面の中央に配置される中央駆動ファン２３と、対向する他の一対の側面の中央や上部に配置される側上部駆動ファン２４とを含む。  風向発生装置２０の各駆動ファンは、ファンを回転させる動力源（図示せず）に連結されている。
【００３４】
ここで、図２に示すように、コーナー駆動ファン２１は、チャンバ１０内の四角コーナーの底面にそれぞれ対角線方向に対向して配置され、それぞれ、チャンバ１０の底面中央を基準とする中央基準点Ｏとコーナーとを結ぶ線を基準として、１〜１５゜角度（θ１）、望ましくは、５〜１０゜角度をなす方向に位置する第１のコーナー駆動ファン２１ａと、第２のコーナー駆動ファン２１ｂと、第３のコーナー駆動ファン２１ｃと、第４のコーナー駆動ファン２１ｄとを含む。  
【００３５】
ここで、図２に示す第１のコーナー駆動ファン２１ａは、第２のコーナー駆動ファン２１ｄに向かうように回転され、第２のコーナー駆動ファン２１ｂは、第１のコーナー駆動ファン２１ａに向かうように回転され、第３のコーナー駆動ファン２１ｃは、第２のコーナー駆動ファン２１ｂに向かうように回転され、第４のコーナー駆動ファン２１ｄは、第３のコーナー駆動ファン２１ｃに向かうように回転されるが、回転角度の異なるコーナー駆動ファンと比較して、相対的に小さく設定される。
【００３６】
このようにコーナー駆動ファン２１の配置及び回転角は、風速２．５〜３ｍ／ｓ下で、微細塵埃をチャンバ１０内にムラなく分布させ、前記配置状態及び前記数値範囲を外れる場合は、投入された塵埃がチャンバ１０内で回転せず、ある１箇所に集まることになって、実際の大気環境のような濃度を有する塵埃分布を形成することができなくなることを考慮すべきである。
【００３７】
また、このように、コーナー駆動ファン２１のファンの正面方向が中央基準点をずらして設けられることで、各駆動ファンから正面に出る風により生成された空気フロー（図３の細線）に沿って、塵埃は、中央基準点を通る対角線方向ではなく、側辺の方に移動することになり、これと同時に隣接したコーナー駆動ファン２１から、正面に出る風によって方向が切り換えられるので、結果として、各塵埃は、中央基準点Ｏの付近で回転を起こすことになる。
【００３８】
側下部駆動ファン２２は、チャンバ１０の対向する一対の側面と隣接する同一の底面の両側に底辺で内側に配置され、チャンバ１０の一対の側面と中央基準点Ｏを繋ぐ直線からなる連結線上に、ファンの正面が互いに逆方向に向けるように位置される第１の側下部駆動ファン２２ａと、第２の側下部駆動ファン２２ｂとを含む。ここで、第１の側下部駆動ファン２２ａ及び第２の側下部駆動ファン２２ｂは、垂直線からなる連結線を基準に、１〜７゜角度（θ２）で回転した方向に位置される。側下部駆動ファン２２から、正面に出る風により生成された空気フローは、図３の内側の太線で示している。
【００３９】
第１のコーナー駆動ファン２１ａ、第２のコーナー駆動ファン２１ｂ、第３のコーナー駆動ファン２１ｃ、第４のコーナー駆動ファン２１ｄはそれぞれ、その大きさを異にするか、逐次大きさに差をつけて構成し、第１の側下部駆動ファン２２ａと第２の側下部駆動ファン２２ｂもそれぞれ、その大きさを異にするか、配置される高さに差をつけて構成して、ファンの風によって、塵埃が螺旋形に回転しながら、上方向に移動するように設けることもできる。
【００４０】
また、側下部駆動ファン２２の配置及び回転角度は、風速２．５〜３ｍ／ｓ下で、コーナー駆動ファンと共に相互作用して、微細塵埃がチャンバの底面に積もることなく、チャンバの下部側で回転してムラなく分布され、前記配置状態及び数値範囲をずれる場合は、投入された塵埃が、チャンバのコーナーや側面と底面が当接する辺に追われて、コーナー又は辺に順次積もるだけでなく、回転せずにいずれか１箇所に集まることになって、実際の大気環境のような濃度の塵埃分布を形成することができなくなることを考慮すべきである。
【００４１】
中央駆動ファン２３は、底面の中央に少なくとも２つのファンが上向きになるように配置されるもので、第１の中央駆動ファン２３ａと第２の中央駆動ファン２３ｂとが互いに所定の距離離隔して配置され、下部の第１の中央駆動ファン２３ａも、底面から離隔した状態で設けられる。この時、第１の中央駆動ファン２３ａ及び第２の中央駆動ファン２３ｂは、補助具である搭載フレーム２８を用いて配置することができる。
【００４２】
中央駆動ファン２３は、重力によって、底に沈んでいる塵埃を吸入して上部に発散することで、下方向から空気と塵埃を上方向に移動させる対流現象を起こして、塵埃を浮遊させるもので、ファンの回転方向は、下部で吸入して上部に発散するように駆動させるのが望ましい。中央駆動ファン２３から正面に出る風によって、対流現象で生じる空気フローは、図３の直線の矢印線で示している。
【００４３】
本発明では、中央駆動ファン２３を２つ配置したことを示しているが、これに限るものではなく、１つ又は離隔して配置された多数を配置することができる。
【００４４】
側上部駆動ファン２４は、対向する一対の側面の中央や上部に配置され、中央及び上部で空気流動と共に、塵埃が下部に沈むことなく、回転してムラなく分布させるためのものであり、チャンバ１０の一対の側面と中央基準点を継ぐ直線からなる連結線上に、ファンの正面が互いに逆方向に向けるように位置される第１の側上部駆動ファン２４ａと、第２の側上部駆動ファン２４ｂとを含む。ここで、第１の側上部駆動ファン２４ａ及び第２の側上部駆動ファン２４ｂは、垂直線からなる連結線を基準に、１〜５０゜角度（θ３）、望ましくは、１５〜４５゜角度で回転された方向に位置する。
【００４５】
側上部駆動ファン２４は、一定の角度で回転されたファンの正面で出る風によって、チャンバ内の中上部に位置した塵埃、及び中央駆動ファン２３の対流現象により、上部に発散される塵埃が、重力によって下部に移動することを防止し、中上部で回転し、チャンバ内にムラなく分布させる。側上部駆動ファン２４から正面に出る風で生成された空気フローは、図３の外側の太線で示している。
【００４６】
ここで、側上部駆動ファン２４は、側下部駆動ファン２２が位置した一対の側面とは異なる一対の側面に配置されるのが望ましい。これは、空気の回転流動の基準点を異にして分布させることで、塵埃の画一的な回転流動を防止し、チャンバ内でムラなく分布するためである。
【００４７】
本発明では、側上部駆動ファン２４と側下部駆動ファン２２とをそれぞれ、２つずつ備え、これを互いにずらして設置したが、これに限定されず、それぞれ４つずつ備え、側下部駆動ファン２２は、底面の４つの側面辺の全体に、また、側上部駆動ファン２４は、４つの側面中上部の全体に配置することができる。
【００４８】
本発明による風向発生装置２０により、チャンバ１０内で発生する空気フローは、チャンバ１０内に設けられた各駆動ファン２１，２２，２３，２４による空気フローが、互いに補強及び相殺するか、方向転換させる干渉作用により形成され、この空気フローにより、微細塵埃が分布することになる。
【００４９】
塵埃供給部３０は、塵埃や微細塵埃を内包しており、これをチャンバ１０内に、投入口１４を介して供給する装置であって、微細塵埃の材料としては、カーボンブラックのような吸着性に優れた材料を含む。これは、微細塵埃のイメージ分析を容易にするためである。
【００５０】
また、有意の観測結果及びイメージ確保のために、チャンバ内に供給される微細塵埃の量は、大気中の微細塵埃の濃度よりも高い数値を用いる。
【００５１】
本発明では、試験のための微細塵埃の材料としてカーボンブラックを用いているが、これに限定されるものではなく、カーボンブラックの他に、様々な材料を使用可能である。
【００５２】
塵埃供給部３０の詳細な構成に対しては、本発明に示していないが、内部ファンと微細塵埃を備え、吐出口を介して、微細塵埃を外部に吐出させる装置、又は、漏斗と微細塵埃のみで構成された簡単な装置でもよい。
【００５３】
フィルタ部４０は、チャンバ１０内の微細塵埃を除去するために、連結口１７を介して、真空掃除機を挿入して掃除する過程で、チャンバ内部が真空状態となることを防止するための逆流防止フィルタを備えており、チャンバ内部から外部への空気フローは防止し、チャンバ外部から内部への空気フローは、許容する。  
【００５４】
チャンバ内の微細塵埃を除去する掃除過程で、水洗浄ができるように構成し、掃除過程の間、チャンバ内の各駆動ファンは、稼動状態を維持するのが望ましい。このような駆動ファンの稼動により、チャンバ内の全体及び駆動ファンに吸着された試験に用いられた微細塵埃を、完全に除去することができる。
【００５５】
このように構成された本発明の好適な実施形態による微細塵埃を含有した人工大気環境組成装置を用いた化粧料の微細塵埃遮断能の分析は、図４に示しているように、撮影装置１００と、人工大気環境組成装置１と、分析装置２００とを含む分析システムを用いて行った。
【００５６】
撮影装置１００は、化粧料が塗布した塗布部位と化粧料が塗布していない無塗布部位とに区画された対象を、微細塵埃の露出前と露出後に分けて、イメージで撮影する装置であって、対象における残余の微細塵埃分析のためのイメージを検出するように、高解像度のデジタルカメラを使って、一定の明るさの照明が設置された恒温・恒湿の清浄空間内に配置して、撮影を行うのが望ましい。
【００５７】
撮影対象である化粧料が塗布された塗布部位と、化粧料が塗布していない無塗布部位とに区画して用意された被験者の腕を、微細塵埃に露出前と露出後の２回に亘り、それぞれ同一の条件で撮影する。この時、撮影対象の化粧料の塗布部位と無塗布部位の大きさはそれぞれ、３ｃｍ×３ｃｍとし、塗布部位の化粧料の塗布量は、塗布部位面積×２μｇを使用している。  
【００５８】
また、撮影前後のイメージ分析時の誤差を最小化するために、微細塵埃の露出前には、化粧料の塗布後１５分経過してから撮影し、微細塵埃の露出後にも、１５分以上一定の明るさの照明が設置された恒温・恒湿の清浄空間内で安定化させた後、撮影する。
【００５９】
人工大気環境組成装置１は、上述した構成要素で形成され、前記撮影対象を微細塵埃に露出させることで、チャンバ１０内部に設けられた駆動ファンを２０〜４０秒、望ましくは３０秒程度稼働して、実際の大気環境に類似したの風速２．５〜３ｍ／ｓに維持される環境で、カーボンブラックを、投入口１４を介してチャンバ１０内に投入し、イメージ分析のために、カーボンブラックによる微細塵埃の濃度が、実際の大気中の微細塵埃の濃度よりも１００〜１，００倍程度高い２００〜３，０００ｍｇ／ｍ３、望ましくは、９００倍程度高い１，８００ｍｇ／ｍ３となるように、カーボンブラックの含量を調節して投入する。
【００６０】
このように用意された微細塵埃の人工大気環境で、チャンバ１０側面の挿入口１２を介して、撮影対象である被験者の腕を投入し、５〜２０分、望ましくは、１０分程度露出させる。
【００６１】
微細塵埃に露出した被験者の腕は、撮影装置により撮影され、微細塵埃の露出前後の各撮影されたイメージは、分析装置２００に送信される。
【００６２】
分析装置２００は、微細塵埃の露出前と露出後のそれぞれ撮影された前記撮影対象のイメージを比較分析し、撮影装置１００に連動しており、微細塵埃の露出前後の撮影されたイメージを、イメージ受信部を介してそれぞれ受信し、受信されたイメージを、変換部で編集可能なｊｐｅｇのようなイメージファイルに変換し、変換されたイメージファイルから微細塵埃量を測定し分析するために、係数統計を適用させる。測定結果は、強度範囲（ｉｎｔｅｎｓｉｔｙ  ｒａｎｇｅ）を設定して導出し、微細塵埃の露出前と露出後の同じ部分を重ね合わせて、同一値の強度範囲で分析する。
【００６３】
ここで、数値分析に対しては、化粧料の塗布部位と無塗布部位の残余の微細塵埃変化量に対する測定結果を、独立テスト（ｉｎｄｅｐｅｎｄｅｎｔ  ｔ−ｔｅｓｔ）法で分析した。また、統計結果は、生物学的の統計分析で最も多く使用する有意差５％（ｐ＜０．０５）である時、統計的の有意性があるとみなした。
【００６４】
＜分析例＞
試験対象として、参加人員２０人の被験者の腕に、用意された化粧料製品を塗布し、化粧料が塗布された塗布部位と、化粧料が塗布していない無塗布部位とに分類させて、微細塵埃に露出前と露出後の２回に亘り、それぞれ同一の条件下で撮影して、残余の微細塵埃の変化量で、化粧料の微細塵埃の遮断能を分析した。
【００６５】
その結果は、図５のイメージに示しているように、化粧料が塗布された塗布部位と、化粧料が塗布していない無塗布部位との残余の微細塵埃の差を確認することができ、図６の分析結果の図表から分かるように、塗布部位は、無塗布部位と比較して、統計的に有意な水準（ｐ＜０．０５）の微細塵埃の遮断効果があることが分かる。
【００６６】
以上、本発明の実施例について詳細に説明したが、本発明の権利範囲は、これに限定されるものではなく、以下の請求範囲で定義している本発明の基本概念を用いた当業者の様々な変形及び改良形態も、本発明の権利範囲に属すると言える。
【図１】
0006533296.tif 000002
【図２】
0006533296.tif 000003
【図３】
0006533296.tif 000004
【図４】
0006533296.tif 000005
【図５】
0006533296.tif 000006
【図６】
0006533296.tif 000007